(57)【要約】【課題】定着部材の温度を精度良く検出することができるようにする。【解決手段】画像形成ユニットと、転写ユニットと、定着部材を備え、媒体に転写された現像剤像を定着させる定着装置と、該定着装置に隣接させて配設された通風装置５０と、該通風装置５０に空気流を送る送風装置とを有する。前記通風装置５０は、ダクト５２、該ダクト５２内に配設され、前記定着部材の温度を検出する温度検出器、及びダクト５２と温度検出器との間において移動自在に配設され、温度検出器と定着部材とを選択的に対向させるシャッタ５３を備える。現像剤像が転写された媒体が定着装置に向けて搬送される間、紙詰まりを発生させた媒体を取り除く際等に飛散した未定着トナー、媒体の紙粉等が温度検出器に付着するのを防止することができる。【選択図】図１
2019148688.tif 000002
【特許請求の範囲】
【請求項１】
（ａ）像担持体上に現像剤像を形成する画像形成ユニットと、
（ｂ）像担持体上の現像剤像を媒体に転写する転写ユニットと、
（ｃ）定着部材を備え、媒体に転写された現像剤像を定着させる定着装置と、
（ｄ）該定着装置に隣接させて配設された通風装置と、
（ｅ）該通風装置に空気流を送る送風装置とを有するとともに、
（ｆ）前記通風装置は、ダクト、該ダクト内に配設され、前記定着部材の温度を検出する温度検出器、及びダクトと温度検出器との間において移動自在に配設され、温度検出器と定着部材とを選択的に対向させるシャッタを備えることを特徴とする画像形成装置。
【請求項２】
（ａ）画像形成装置の筐体において開閉自在に配設されたカバー部材を有するとともに、
（ｂ）前記シャッタの所定の位置にシャッタ開口部が形成され、
（ｃ）前記シャッタは、前記カバー部材が閉じられた状態で第１の位置に置かれ、シャッタ開口部を介して温度検出器と定着部材とを対向させ、前記カバー部材が開かれた状態で第２の位置に置かれ、温度検出器と定着部材とを遮断する請求項１に記載の画像形成装置。
【請求項３】
（ａ）前記ダクトはダクト開口部を備え、
（ｃ）前記シャッタは、前記カバー部材が閉じられた状態で第１の位置に置かれ、シャッタ開口部及びダクト開口部を介して温度検出器と定着部材とを対向させ、前記カバー部材が開かれた状態で第２の位置に置かれ、温度検出器と定着部材とを遮断する請求項２に記載の画像形成装置。
【請求項４】
前記通風装置は、ダクト内に、前記カバー部材の開閉に伴ってシャッタを移動させるシャッタ開閉機構を備える請求項１〜３のいずれか１項に記載の画像形成装置。
【請求項５】
前記シャッタ開閉機構は、前記カバー部材のレバー、操作者がレバーを操作することによって移動させられる移動部材、及び該移動部材の移動に伴ってシャッタを移動させる連動部材を備える請求項４に記載の画像形成装置。
【請求項６】
前記シャッタ開閉機構は、前記カバー部材のレバー、操作者がレバーを操作することによるカバー部材の開閉を検出するカバーセンサ、該カバーセンサのセンサ出力に基づいて駆動されるモータ、該モータの駆動に伴って移動させられる移動部材、及び該移動部材の移動に伴ってシャッタを移動させる連動部材を備える請求項４に記載の画像形成装置。
【請求項７】
前記シャッタ開閉機構は、シャッタを、第１の位置から第２の位置に移動させる方向に付勢する付勢部材を備える請求項４〜６のいずれか１項に記載の画像形成装置。
【発明の詳細な説明】
【技術分野】
【０００１】
本発明は、画像形成装置に関するものである。
【背景技術】
【０００２】
従来、プリンタ、複写機、ファクシミリ、複合機等の画像形成装置、例えば、電子写真式のプリンタは画像形成ユニットを備え、該画像形成ユニットにおいて、感光体ドラムの表面にトナー像が形成され、該トナー像が転写ローラによって用紙に転写され、定着器においてトナー像が用紙に定着させられるようになっている。
【０００３】
そのために、前記定着器は、ヒータによって加熱される第１の定着部材としての加熱ローラ、及び該加熱ローラに圧接させられる第２の定着部材としての加圧ローラを備え、加熱ローラと加圧ローラとの間に形成されるニップ部を用紙が通過させられ、用紙上のトナー像が加熱され、加圧される。
【０００４】
この場合、温度センサによって加熱ローラの温度が検出され、検出された温度が、あらかじめ設定された温度、すなわち、定着温度になるように、電源からヒータへの電力の供給が制御される。
【０００５】
ところで、前記温度センサとして、加熱ローラに接触させることなく、加熱ローラに近接させて配設された非接触式の温度センサを使用するプリンタが提供されている。
【０００６】
この種のプリンタにおいては、トナー像が転写された用紙が定着器に向けて搬送される間に、用紙の挙動、装置本体内の各部位に発生する静電気等の影響を受けて、用紙に定着させられる前のトナー、すなわち、未定着トナー、用紙の紙粉等が飛散することがある。また、用紙が搬送されているときに紙詰まりが発生すると、装置本体を覆うトップカバーが開かれ、用紙が取り除かれるが、そのときも、用紙が装置本体内の各部位と擦れたり、振動したりするのに伴って、未定着トナー、紙粉等が飛散することがある。
【０００７】
その場合、未定着トナー、紙粉等が温度センサに付着すると、加熱ローラの温度を精度良く検出することができなくなってしまう。
【０００８】
そこで、前記温度センサを、収納カバー内において回動自在に配設するとともに、収納カバーによって覆い、加熱ローラの温度を検出する必要がある場合に、温度センサの検出面を収納カバーの開口を介して加熱ローラと対向させ、加熱ローラの温度を検出する必要がない場合は、温度センサを回動させ、検出面を加熱ローラと対向しない位置に退避させるようにしている（例えば、特許文献１参照。）。
【先行技術文献】
【特許文献】
【０００９】
【特許文献１】特開２００６−１７７７３号公報
【発明の概要】
【発明が解決しようとする課題】
【００１０】
しかしながら、前記従来のプリンタにおいては、収納カバーが密封されていないので、未定着トナー、紙粉等が開口を介して収納カバー内に進入し、温度センサに付着することがある。
【００１１】
また、温度センサが収納カバーによって包囲されるので、加熱ローラから放射された熱が収納カバー内に籠もることがあり、その場合、温度センサが劣化してしまう。
【００１２】
その結果、温度センサによって、加熱ローラの温度を精度良く検出することができなくなる。
【００１３】
本発明は、前記従来のプリンタの問題点を解決して、定着部材の温度を精度良く検出することができる画像形成装置を提供することを目的とする。
【課題を解決するための手段】
【００１４】
そのために、本発明の画像形成装置においては、像担持体上に現像剤像を形成する画像形成ユニットと、像担持体上の現像剤像を媒体に転写する転写ユニットと、定着部材を備え、媒体に転写された現像剤像を定着させる定着装置と、該定着装置に隣接させて配設された通風装置と、該通風装置に空気流を送る送風装置とを有する。
【００１５】
そして、前記通風装置は、ダクト、該ダクト内に配設され、前記定着部材の温度を検出する温度検出器、及びダクトと温度検出器との間において移動自在に配設され、温度検出器と定着部材とを選択的に対向させるシャッタを備える。
【発明の効果】
【００１６】
本発明によれば、画像形成装置においては、像担持体上に現像剤像を形成する画像形成ユニットと、像担持体上の現像剤像を媒体に転写する転写ユニットと、定着部材を備え、媒体に転写された現像剤像を定着させる定着装置と、該定着装置に隣接させて配設された通風装置と、該通風装置に空気流を送る送風装置とを有する。
【００１７】
そして、前記通風装置は、ダクト、該ダクト内に配設され、前記定着部材の温度を検出する温度検出器、及びダクトと温度検出器との間において移動自在に配設され、温度検出器と定着部材とを選択的に対向させるシャッタを備える。
【００１８】
この場合、定着装置に隣接させて配設された通風装置において、ダクトと温度検出器との間に配設されたシャッタによって温度検出器と定着部材とが選択的に対向させられるので、現像剤像が転写された媒体が定着装置に向けて搬送される間、紙詰まりを発生させた媒体を取り除く際等に飛散した未定着トナー、媒体の紙粉等が温度検出器に付着するのを防止することができる。
【００１９】
しかも、送風装置によって発生させられた空気流がダクト内を通過するので、定着部材から放射された熱がダクト内に籠もることがなく、温度検出器が劣化することがない。
【００２０】
したがって、温度検出器によって定着部材の温度を精度良く検出することができる。
【図面の簡単な説明】
【００２１】
【図１】本発明の第１の実施の形態における通風装置の配設状態を示す図である。
【図２】本発明の第１の実施の形態におけるプリンタの概念図である。
【図３】本発明の第１の実施の形態におけるプリンタの制御ブロック図である。
【図４】本発明の第１の実施の形態におけるシャッタが第１の位置に置かれているときのダクト内の状態を示す第１の図である。
【図５】本発明の第１の実施の形態におけるシャッタが第１の位置に置かれているときのダクト内の状態を示す第２の図である。
【図６】本発明の第１の実施の形態におけるシャッタが第２の位置に置かれているときのダクト内の状態を示す図である。
【図７】本発明の第２の実施の形態におけるシャッタが第１の位置に置かれているときのダクト内の状態を示す図である。
【図８】本発明の第２の実施の形態におけるプリンタの制御装置を示す図である。
【発明を実施するための形態】
【００２２】
以下、本発明の実施の形態について図面を参照しながら詳細に説明する。この場合、画像形成装置としての電子写真式のプリンタについて説明する。
【００２３】
図２は本発明の第１の実施の形態におけるプリンタの概念図、図３は本発明の第１の実施の形態におけるプリンタの制御ブロック図である。
【００２４】
図において、１０はプリンタ、Ｃｓは該プリンタ１０の筐体、Ｃｓｔは、該筐体Ｃｓの頂部において開閉自在に配設されたカバー部材としてのトップカバー、１１Ｂｋ、１１Ｙ、１１Ｍ、１１Ｃは、プリンタ１０の本体、すなわち、装置本体Ｂｄに対して着脱自在に装着されたブラック、イエロー、マゼンタ及びシアンの各色の画像形成ユニット（ＩＤユニット）である。該各画像形成ユニット１１Ｂｋ、１１Ｙ、１１Ｍ、１１Ｃは、像担持体としての感光体ドラム１３、及び該感光体ドラム１３の周囲に配設され、いずれも図示されない、帯電装置としての帯電ローラ、現像剤担持体としての現像ローラ、クリーニング装置等を備え、前記感光体ドラム１３上に各色の現像剤像としてのトナー像を形成する。
【００２５】
前記トップカバーＣｓｔには４個のアームａｍが下方に向けて突出させて形成され、該各アームａｍの先端に露光装置としてのＬＥＤヘッド１２が取り付けられる。該各ＬＥＤヘッド１２は、トップカバーＣｓｔが閉じられた状態で、各画像形成ユニット１１Ｂｋ、１１Ｙ、１１Ｍ、１１Ｃの感光体ドラム１３と対向させられ、トップカバーＣｓｔが開かれた状態で、感光体ドラム１３から退避させられる。
【００２６】
また、１４は、媒体としての図示されない用紙を収納する媒体収容部としての用紙カセットであり、該用紙カセット１４の先端に、用紙積載台１４ａ上に載置された用紙カセット１４内の用紙を第１の媒体搬送路としての用紙搬送路Ｒｔ１に繰り出すピックアップローラ１５が配設され、該ピックアップローラ１５に隣接させて、給紙ローラ１６及び分離ローラ１７から成り、ピックアップローラ１５によって繰り出された用紙を１枚ずつ分離させる分離装置１８が配設される。
【００２７】
そして、前記用紙搬送路Ｒｔ１における分離装置１８より下流側に、用紙を搬送する搬送ローラ対１９が配設され、該搬送ローラ対１９より下流側に、用紙を一時的に停止させることによって用紙の斜行を矯正するレジストローラ対２０が配設される。
【００２８】
さらに、前記用紙搬送路Ｒｔ１におけるレジストローラ対２０より下流側に、各画像形成ユニット１１Ｂｋ、１１Ｙ、１１Ｍ、１１Ｃに沿って転写ユニットｕ１が配設される。
【００２９】
該転写ユニットｕ１は、画像形成ユニット１１Ｂｋの下方において回転自在に配設された駆動ローラＲ１、画像形成ユニット１１Ｃの下方において回転自在に配設された従動ローラＲ２、駆動ローラＲ１と従動ローラＲ２とによって走行自在に張設された転写ベルト２１、及び該転写ベルト２１を介して前記感光体ドラム１３と対向させて回転自在に配設された転写部材としての転写ローラ２２を備え、各感光体ドラム１３上のトナー像を、レジストローラ対２０から送られた用紙に順次重ねて転写することによって、用紙上にカラーのトナー像を形成する。
【００３０】
また、３１は、前記用紙搬送路Ｒｔ１における画像形成ユニット１１Ｂｋ、１１Ｙ、１１Ｍ、１１Ｃ及び転写ユニットｕ１より下流側に配設された定着装置としての定着器であり、該定着器３１は、走行自在に配設された第１の定着部材としての加熱ベルト３２、及び回転自在に配設され、加熱ベルト３２に圧接させられる第２の定着部材としての加圧ローラ３３を備え、カラーのトナー像を用紙に定着させる。なお、前記加熱ベルト３２の内側に熱源としてのヒータ３４が配設される。
【００３１】
前記用紙搬送路Ｒｔ１における定着器３１より下流側において、用紙搬送路Ｒｔ１から第２の媒体搬送路としての用紙搬送路Ｒｔ２が分岐させられ、分岐点に用紙の搬送経路を切り替える切替器３５が配設される。また、用紙搬送路Ｒｔ２における切替器３５より下流側において、用紙搬送路Ｒｔ２から第３の媒体搬送路としての用紙搬送路Ｒｔ３が分岐させられる。
【００３２】
そして、前記用紙搬送路Ｒｔ１における切替器３５より下流側に、用紙を搬送する搬送ローラ対３７が配設され、該搬送ローラ対３７より下流側に、用紙を装置本体Ｂｄ外に排出する排出ローラ対３８が配設され、装置本体Ｂｄ外に、排出された用紙を積載するスタッカ３９が配設される。
【００３３】
また、前記用紙搬送路Ｒｔ１における切替器３５より下流側に、用紙を搬送する搬送ローラ対４１が配設され、該搬送ローラ対４１より下流側に、用紙を反転させ、用紙搬送路Ｒｔ３に送るための反転ローラ対４２が配設され、前記用紙搬送路Ｒｔ３に、反転させられた用紙を搬送する搬送ローラ対４３〜４５が配設される。
【００３４】
次に、前記プリンタ１０の動作について説明する。
【００３５】
各画像形成ユニット１１Ｂｋ、１１Ｙ、１１Ｍ、１１Ｃにおいて、感光体ドラム１３が図示されない駆動部によって回転させられ、帯電ローラが感光体ドラム１３の表面を一様に帯電させる。次に、ＬＥＤヘッド１２が画像信号に対応した光を感光体ドラム１３に照射し、感光体ドラム１３上に潜像としての静電潜像を形成する。続いて、現像ローラが、前記静電潜像を現像し、感光体ドラム１３上に現像剤としてのトナーを付着させ、トナー像を形成する。
【００３６】
用紙カセット１４に収容された用紙は、ピックアップローラ１５によって繰り出され、給紙ローラ１６及び分離ローラ１７によって１枚ずつ分離させられて用紙搬送路Ｒｔ１に給紙され、搬送ローラ対１９によって搬送され、レジストローラ対２０によって斜行が矯正され、転写ベルト２１の走行に伴って、各画像形成ユニット１１Ｂｋ、１１Ｙ、１１Ｍ、１１Ｃと転写ユニットｕ１との間を搬送される。そして、各感光体ドラム１３上のトナー像が用紙に順次重ねて転写され、用紙にカラーのトナー像が形成される。続いて、用紙は、定着器３１に送られ、該定着器３１において、加熱ベルト３２と加圧ローラ３３との間に形成されるニップ部を通過させられ、用紙上のカラーのトナー像が、加熱され、加圧されて用紙に定着させられる。このようにして、用紙にカラー画像が形成される。
【００３７】
そして、片面印刷の場合、カラー画像が形成された用紙は、搬送ローラ対３７によって用紙搬送路Ｒｔ１を搬送され、排出ローラ対３８によって装置本体Ｂｄ外に排出されスタッカ３９に積載される。
【００３８】
一方、両面印刷の場合、カラー画像が形成された用紙は、切替器３５よって用紙搬送路Ｒｔ２に送られ、搬送ローラ対４１によって搬送され、その後、反転ローラ対４２によって反転させられて用紙搬送路Ｒｔ３に送られ、搬送ローラ対４３〜４５によって搬送され、再び用紙搬送路Ｒｔ１に送られる。
【００３９】
前記定着器３１には温度検出器としての温度センサ５１が配設され、該温度センサ５１によって加熱ベルト３２の温度が検出され、検出された温度、すなわち、検出温度が、装置本体Ｂｄの所定の箇所に配設された制御部４６に送られるようになっている。該制御部４６において、検出温度があらかじめ設定された定着温度と比較され、制御信号が生成されて定着器制御部４７に送られると、該定着器制御部４７は、検出温度が定着温度になるように、図示されない電源からヒータ３４に供給される電力を制御する。
【００４０】
本実施の形態においては、前記温度センサ５１として、加熱ベルト３２に接触させることなく、加熱ベルト３２に近接させて配設された非接触式の温度センサが使用される。
【００４１】
ところで、トナー像が転写された用紙が定着器３１に向けて搬送される間に、用紙の挙動、装置本体Ｂｄ内の各部位に発生する静電気等の影響を受けて、用紙に定着させられる前のトナー、すなわち、未定着トナー、用紙の紙粉等が飛散することがある。また、用紙が搬送されているときに紙詰まりが発生すると、操作者によってトップカバーＣｓｔが開かれ、用紙が取り除かれるが、そのときも、用紙が装置本体Ｂｄ内の各部位と擦れたり、振動したりするのに伴って、未定着トナー、紙粉等が飛散することがある。
【００４２】
その場合、未定着トナー、紙粉等が温度センサ５１に付着すると、加熱ベルト３２の温度を精度良く検出することができなくなってしまう。
【００４３】
そこで、本実施の形態においては、用紙搬送路Ｒｔ１における画像形成ユニット１１Ｃと定着器３１との間に、定着器３１に隣接させて筒状の形状を有する通風装置５０が配設され、該通風装置５０の空気流路としてのダクト５２内に前記温度センサ５１が配設され、該温度センサ５１と前記加熱ベルト３２とが後述されるシャッタ５３によって選択的に（トップカバーＣｓｔの動作に応じて）対向させられるようになっている。
【００４４】
また、前記通風装置５０に隣接させて送風装置としてのファン５５が配設され、該ファン５５を作動させることによって発生させられた空気流が通風装置５０に送られ、温度センサ５１に当てられるようになっている。
【００４５】
次に、前記通風装置５０について説明する。
【００４６】
図１は本発明の第１の実施の形態における通風装置の配設状態を示す図、図４は本発明の第１の実施の形態におけるシャッタが第１の位置に置かれているときのダクト内の状態を示す第１の図、図５は本発明の第１の実施の形態におけるシャッタが第１の位置に置かれているときのダクト内の状態を示す第２の図、図６は本発明の第１の実施の形態におけるシャッタが第２の位置に置かれているときのダクト内の状態を示す図である。
【００４７】
図において、３１は定着器、３２は加熱ベルト、３３は加圧ローラ、Ｎｐは加熱ベルト３２と加圧ローラ３３との間に形成されるニップ部、Ｈｇは定着器３１の外筐としてのケースであり、該ケースＨｇ内において加熱ベルト３２は走行させられ、加圧ローラ３３は回転させられる。また、ｈ１は、ケースＨｇにおける画像形成ユニット１１Ｃ（図２）と対向する側の側壁Ｗｓに形成され、カラーのトナー像が転写された用紙を導入する媒体入口としての開口、ｈ２は、前記側壁Ｗｓにおける開口ｈ１より上方に形成され、加熱ベルト３２の輻射熱を温度センサ５１に伝達するための定着器開口部としての開口である。
【００４８】
前記側壁Ｗｓにおける開口ｈ１より上方で、かつ、用紙搬送路Ｒｔ１における定着器３１より下流側に、前記通風装置５０が用紙の幅方向に延在させて配設され、該通風装置５０のダクト５２の一方の端部、本実施の形態においては、図１における手前側の端部と対向させて前記ファン５５が配設される。該ファン５５によって発生させられた空気流は、空気入口Ｅｉを介してダクト５２内に進入し、該ダクト５２内を通り、空気出口Ｅｏから出る。
【００４９】
前記ダクト５２は、断面が「コ」字状の形状を有し、前記定着器３１側が開放された第１の箱状体としてのダクトカバー５７、及び断面が「コ」字状の形状を有し、前記画像形成ユニット１１Ｃ側が開放された第２の箱状体としてのダクトプレート５８を備え、該ダクトプレート５８をダクトカバー５７内に嵌入することによって、断面がほぼ矩形の形状を有し、両端が開放された空間Ｓｐが形成され、該空間Ｓｐ（ダクト５２内）内に、温度センサ５１、該温度センサ５１と前記加熱ベルト３２とを選択的に対向させるシャッタ５３、前記トップカバーＣｓｔの開閉に伴って前記シャッタ５３を移動させるシャッタ開閉機構６０等が配設される。
【００５０】
前記ダクトカバー５７は底壁５７ｂ、側壁５７ｓ及び頂壁５７ｔを、ダクトプレート５８は底壁５８ｂ、側壁５８ｓ及び頂壁５８ｔを備え、ダクトプレート５８がダクトカバー５７内に嵌入された状態で、底壁５８ｂが底壁５７ｂ上に、頂壁５８ｔが頂壁５７ｔ下に置かれる。そして、ダクトプレート５８の側壁５８ｓにおける、前記側壁Ｗｓの開口ｈ２に対応する位置に、加熱ベルト３２の輻射熱を温度センサ５１に伝達するためのダクト開口部としての開口ｈ３が形成される。
【００５１】
なお、図４及び６は、前記ダクト５２においてダクトプレート５８を除去したときの図１における矢印Ａ方向から見た空間Ｓｐを示し、図５は、前記ダクト５２においてダクトカバー５７を除去したときの図１における矢印Ｂ方向から見た空間Ｓｐを示し、ファン５５と対向する側に空気入口Ｅｉが、反対側に空気出口Ｅｏが形成される。
【００５２】
前記温度センサ５１は、加熱ベルト３２の輻射熱を受けて温度を検出するので、受熱面５１ｓを加熱ベルト３２に向けて、本実施の形態においては、わずかに下方に向けて傾斜させて配設される。そのために、ダクトプレート５８の側壁５８ｓに、ダクトカバー５７の側壁５７ｓに向けて突出させて、一対のポストｐｔ１、ｐｔ２が形成され、該各ポストｐｔ１、ｐｔ２間に延在させて保持プレート６１が下方に向けて傾斜させて配設され、該保持プレート６１に、一対のホルダ６２を介して前記温度センサ５１が取り付けられる。
【００５３】
また、前記ダクト５２と温度センサ５１との間、すなわち、ダクトプレート５８と保持プレート６１との間に前記シャッタ５３が矢印Ｃ方向に移動自在に配設される。シャッタ５３は、トップカバーＣｓｔが閉じられた通常の状態で、図４及び５に示される第１の位置に置かれ、トップカバーＣｓｔが開かれた状態で、図６に示される第２の位置に置かれる。
【００５４】
そのために、前記シャッタ５３の長手方向における一方の端部に、長円形の形状を有する第１の係止部としての長溝ｍ１が、他方の端部にＵ字状の形状を有する第２の係止部としてのＵ溝ｍ２が形成され、長溝ｍ１内に前記ポストｐｔ１が、Ｕ溝ｍ２内に前記ポストｐｔ２が嵌入される。したがって、前記シャッタ５３は、長溝ｍ１及びＵ溝ｍ２によってポストｐｔ１、ｐｔ２がそれぞれ案内されるように移動させられる。
【００５５】
そして、前記シャッタ５３には、所定の位置に、温度センサ５１と加熱ベルト３２とを対向させるための一対のシャッタ開口部としての開口ｈ４が形成され、シャッタ５３が第１の位置に置かれると、温度センサ５１と加熱ベルト３２とが開口ｈ２〜ｈ４を介して対向させられ、シャッタ５３が第２の位置に置かれると、温度センサ５１と加熱ベルト３２とがシャッタ５３によって遮断される。
【００５６】
該シャッタ５３の上縁及び下縁に、シール材６５、６６がシャッタ５３の長手方向に沿って配設され、ダクトプレート５８の側壁５８ｓとシャッタ５３との間の空間Ｓｘが、シャッタ５３の上縁及び下縁においてシール材６５、６６によってシールされる。シール材６５、６６は、シャッタ５３が移動させられるのに伴ってダクトプレート５８に対して摺動させられる。
【００５７】
また、前記シャッタ開閉機構６０は、ポストｐｔ２を中心に揺動自在に配設された連動部材としてのアーム７１、前記トップカバーＣｓｔに配設され、トップカバーＣｓｔを開閉するための操作部としてのレバー７２、該レバー７２を操作することによって上下方向に移動させられる移動部材としてのスライダ７３、該スライダ７３を案内するガイド７４、シャッタ５３と保持プレート６１との間に配設され、シャッタ５３を空気出口Ｅｏ側に向けて、すなわち、シャッタ５３を第１の位置から第２の位置に移動させる方向に付勢する付勢部材としての引張スプリング７５等を備える。
【００５８】
前記レバー７２は下方に向けて突出させて形成された係合突起７２ａを備え、前記スライダ７３は、上端に被押圧部７３ａを、下端に押圧部７３ｂを備える。前記アーム７１は、所定の箇所に押圧部７１ａを、他の所定の箇所に被押圧部７１ｂを備える。前記シャッタ５３は、空気出口Ｅｏ側の端部に被押圧部５３ａを備える。
【００５９】
そして、前記ガイド７４に形成された溝７４ａ内においてレバー７２の係合突起７２ａとスライダ７３の被押圧部７３ａとが当接させられ、前記溝７４ａ外において、スライダ７３の押圧部７３ｂとアーム７１の被押圧部７１ｂとが当接させられ、アーム７１の押圧部７１ａとシャッタ５３の被押圧部５３ａとが当接させられる。
【００６０】
なお、スライダ７３が上方に向けて移動させられたときにスライダ７３が溝７４ａから抜け落ちることがないように、スライダ７３に、ダクトカバー５７の側壁５７ｓ側に向けて突出させて突起７３ｃが形成され、ガイド７４にストッパ７４ｂが形成され、スライダ７３が所定の量だけ上方に移動させられると、突起７３ｃがストッパ７４ｂに当接し、スライダ７３が停止させられる。
【００６１】
次に、前記シャッタ開閉機構６０の動作について説明する。
【００６２】
まず、操作者が、トップカバーＣｓｔが開かれた状態からレバー７２を操作してトップカバーＣｓｔを閉じるときの開閉機構６０の動作について説明する。
【００６３】
操作者によってトップカバーＣｓｔが閉じられると、係合突起７２ａが溝７４ａ内に進入させられ、スライダ７３が押され、下方に向けて移動させられる。これにより、すなわち、スライダ７３の移動に伴って、アーム７１が図４における時計回り方向（図５における反時計回り方向）に回動させられ、シャッタ５３が、引張スプリング７５の付勢力（引張力）に抗して空気入口Ｅｉ側に移動させられ、第１の位置に置かれる。
【００６４】
これにより、図１に示されるように、シャッタ５３の開口ｈ４、ダクトプレート５８の開口ｈ３、及び定着器３１の側壁Ｗｓの開口ｈ２を介して加熱ベルト３２と温度センサ５１とが対向させられるので、加熱ベルト３２の輻射熱を温度センサ５１に十分に伝達することができる。
【００６５】
また、この間、すなわち、トナー像が転写された用紙が定着器３１に向けて搬送される間に、用紙の挙動、装置本体Ｂｄ内の各部位に発生する静電気等の影響を受けて、未定着トナー、用紙の紙粉等が飛散することがあるが、温度センサ５１がダクト５２によって包囲されているだけでなく、前記シャッタ５３の上縁及び下縁に、シール材６５、６６がシャッタ５３の長手方向に沿って配設され、ダクトプレート５８の側壁５８ｓとシャッタ５３との間の空間Ｓｘがシール材６５、６６によってシールされるので、飛散した未定着トナー、用紙の紙粉等は、開口ｈ３を介してダクト５２内に進入しても、シャッタ５３の開口ｈ４を介してわずかに温度センサ５１側に進入するだけであり、しかも、ファン５５によって発生させられた空気流がダクト５２内を通過するので、未定着トナー、紙粉等が温度センサ５１に付着するのを防止することができる。
【００６６】
そして、ダクト５２内を空気流が通過するので、加熱ベルト３２から放射された熱がダクト５２内に籠もることがなく、温度センサ５１が劣化することがない。
【００６７】
したがって、温度センサ５１によって加熱ベルト３２の温度を精度良く検出することができる。
【００６８】
次に、操作者が、トップカバーＣｓｔが閉じられた状態からレバー７２を操作してトップカバーＣｓｔを開くときのシャッタ開閉機構６０の動作について説明する。
【００６９】
用紙が搬送されているときに紙詰まりが発生すると、用紙を取り除くために操作者によってレバー７２が操作され、トップカバーＣｓｔが開かれるが、このとき、係合突起７２ａが溝７４ａ外に置かれると、引張スプリング７５の付勢力によって、アーム７１が図４における反時計回り方向に回動させられ、スライダ７３が押され、上方に向けて移動させられる。
【００７０】
これにより、図６に示されるように、シャッタ５３が、空気出口Ｅｏ側に移動させられ、第２の位置に置かれ、シャッタ５３の開口ｈ４がダクトプレート５８の開口ｈ３及び定着器３１の側壁Ｗｓの開口ｈ２に対して異なる位置に置かれ、加熱ベルト３２と温度センサ５１とがシャッタ５３によって遮断される。
【００７１】
したがって、紙詰まりを発生させた用紙を操作者が取り除く際に、用紙が装置本体Ｂｄ内の各部位と擦れたり、振動したりするのに伴って飛散した未定着トナー、紙粉等が、開口ｈ３を介してダクト５２内に進入しても、シャッタ５３の開口ｈ４を介して温度センサ５１側に進入するのが阻止されるので、未定着トナー、紙粉等が温度センサ５１に付着するのを一層防止することができる。
【００７２】
その結果、温度センサ５１によって、加熱ベルト３２の温度を精度良く検出することができる。
【００７３】
次に、本発明の第２の実施の形態について説明する。なお、第１の実施の形態と同じ構造を有するものについては、同じ符号を付与し、同じ構造を有することによる発明の効果については同実施の形態の効果を援用する。
【００７４】
図７は本発明の第２の実施の形態におけるシャッタが第１の位置に置かれているときのダクト内の状態を示す図、図８は本発明の第２の実施の形態におけるプリンタの制御装置を示す図である。
【００７５】
図において、８１はシャッタ５３を矢印Ｃ方向に移動させるための駆動部としてのモータ、ｇｒ１はモータ８１の図示されない出力軸に取り付けられたギヤ、ｇｒ２はギヤｇｒ１と噛合させられ、モータ８１の回転を減速するギヤ（アイドルギヤ）である。
【００７６】
また、７３は前記モータ８１の駆動に伴って上下方向に移動させられる移動部材としてのスライダであり、該スライダ７３における空気出口Ｅｏ側の縁部にラック７３ｄが形成され、該ラック７３ｄと前記ギヤｇｒ２とが噛合させられる。
【００７７】
前記ラック７３ｄ及びギヤｇｒ２によって運動方向変換部材が構成され、ギヤｇｒ２の回転運動がラック７３ｄの直進運動に変換される。
【００７８】
したがって、モータ８１を正方向、本実施の形態においては、反時計回り方向に駆動すると、スライダ７３を下方に向けて移動させることができ、モータ８１を逆方向、本実施の形態においては、時計回り方向に駆動すると、スライダ７３を上方に向けて移動させることができる。
【００７９】
そして、８２は、操作者が操作部としてのレバー７２（図１）を操作することによるカバー部材としてのトップカバーＣｓｔの開閉を検出する開閉検出器としてのカバーセンサであり、センサ出力を制御部４６に送る。該制御部４６において、センサ出力に基づいて制御信号が生成されて定着器制御部４７に送られると、該定着器制御部４７は、トップカバーＣｓｔが開かれたときにモータ８１を時計回り方向に駆動し、トップカバーＣｓｔが閉じられたときにモータ８１を反時計回り方向に駆動する。
【００８０】
また、６０はシャッタ開閉機構であり、該シャッタ開閉機構６０は、ポストｐｔ２を中心に揺動自在に配設された連動部材としてのアーム７１、前記モータ８１、カバーセンサ８２、ギヤｇｒ１、ｇｒ２、スライダ７３、該スライダ７３を案内するガイド７４、シャッタ５３と保持プレート６１との間に配設され、シャッタ５３を空気出口Ｅｏ側に向けて付勢する付勢部材としての引張スプリング７５等を備える。前記アーム７１はスライダ７３の移動に伴ってシャッタを移動させる。
【００８１】
なお、本実施の形態においては、レバー７２に係合突起７２ａ（図４）が形成されておらず、スライダ７３の被押圧部７３ａが、ガイド７４に形成された溝７４ａ内において係合突起７２ａに当接させられることはない。
【００８２】
次に、シャッタ開閉機構６０の動作について説明する。
【００８３】
操作者によってトップカバーＣｓｔが閉じられると、定着器制御部４７は、モータ８１を反時計回り方向に駆動し、スライダ７３を下方に向けて移動させる。これにより、アーム７１が図７における反時計回り方向に回動させられ、シャッタ５３が、引張スプリング７５の付勢力（引張力）に抗して空気入口Ｅｉ側に移動させられ、第１の位置に置かれる。
【００８４】
これにより、図１に示されるように、シャッタ５３のシャッタ開口部としての開口ｈ４、第２の箱状体としてのダクトプレート５８のダクト開口部としての開口ｈ３、及び定着装置としての定着器３１の側壁Ｗｓの定着開口部としての開口ｈ２を介して、第１の定着部材としての加熱ベルト３２と温度検出器としての温度センサ５１とが対向させられるので、加熱ベルト３２の輻射熱を温度センサ５１に十分に伝達することができる。
【００８５】
また、この間、すなわち、現像剤像としてのトナー像が転写された媒体としての用紙が定着器３１に向けて搬送される間に、用紙の挙動、装置本体Ｂｄ内の各部位に発生する静電気等の影響を受けて、未定着トナー、用紙の紙粉等が飛散することがあるが、飛散した未定着トナー、紙粉等が温度センサ５１に付着するのを防止することができる。
【００８６】
さらに、加熱ベルト３２から放射された熱が空気流路としてのダクト５２内に籠もることがなく、温度センサ５１が劣化することがない。
【００８７】
したがって、温度センサ５１によって加熱ベルト３２の温度を精度良く検出することができる。
【００８８】
また、用紙が搬送されているときに紙詰まりが発生すると、用紙を取り除くために操作者によってレバー７２が操作され、トップカバーＣｓｔが開かれるが、トップカバーＣｓｔが開かれると、定着器制御部４７は、モータ８１を時計回り方向に駆動し、スライダ７３を上方に向けて移動させる。このとき、引張スプリング７５の付勢力によって、アーム７１が図７における時計回り方向に回動させられる。
【００８９】
これにより、図６に示されるように、シャッタ５３が、引張スプリング７５の付勢力によって空気出口Ｅｏ側に移動させられ、第２の位置に置かれ、シャッタ５３の開口ｈ４がダクトプレート５８の開口ｈ３及び定着器３１の側壁Ｗｓの開口ｈ２に対して異なる位置に置かれ、加熱ベルト３２と温度センサ５１とがシャッタ５３によって遮断される。
【００９０】
したがって、紙詰まりを発生させた用紙を操作者が取り除く際に用紙が装置本体Ｂｄ内の各部位と擦れたり、振動したりするのに伴って飛散した未定着トナー、紙粉等が温度センサ５１に付着するのを防止することができる。
【００９１】
その結果、温度センサ５１によって、加熱ベルト３２の温度を精度良く検出することができる。
【００９２】
前記各実施の形態においては、プリンタ１０について説明しているが、本発明を複写機、ファクシミリ、複合機等の画像形成装置に適用することができる。
【００９３】
なお、本発明は前記各実施の形態に限定されるものではなく、本発明の趣旨に基づいて種々変形させることが可能であり、それらを本発明の範囲から排除するものではない。
【符号の説明】
【００９４】
１０    プリンタ
１１Ｂｋ、１１Ｙ、１１Ｍ、１１Ｃ    画像形成ユニット
１３    感光体ドラム
３１    定着器
３２    加熱ベルト
５０    通風装置
５１    温度センサ
５２    ダクト
５３    シャッタ
５５    ファン
ｕ１    転写ユニット
【図１】
2019148688.tif 000003
【図２】
2019148688.tif 000004
【図３】
2019148688.tif 000005
【図４】
2019148688.tif 000006
【図５】
2019148688.tif 000007
【図６】
2019148688.tif 000008
【図７】
2019148688.tif 000009
【図８】
2019148688.tif 000010